(57)【要約】【課題】  同軸ケーブルを引き直すことなく改修することができると共に厚みを薄くすることのできる簡易な構造とする。【解決手段】  直列ユニット１は端子台１０と、端子台１０が取り付けられている取付枠２０とから構成されている。端子台１０のシールドケース１２の前面にはＴＶ端子が設けられており、入力端子１４が先端に設けられた同軸ケーブル１３と、出力端子が先端に設けられた同軸ケーブル１５とが導出されている。同軸ケーブル１３，１５を屈曲して改修後の短くされた同軸ケーブルの先端に設けられている入力接栓や出力接栓に接続することができる。【選択図】  図３
2012089326.tif 000002
【特許請求の範囲】
【請求項１】
同軸コネクタとされるＴＶ端子が前面に設けられているシールドケースを備える直列ユニットであって、
前記シールドケースから、ＴＶ信号が伝送されてきた同軸ケーブルの端部に設けられている同軸プラグを装着することができる同軸コネクタとされる入力端子が先端に設けられている入力用同軸ケーブルが導出されており、該入力用同軸ケーブルを介して前記シールドケース内に入力されたＴＶ信号が分岐されて前記ＴＶ端子から出力されることを特徴とする直列ユニット。
【請求項２】
同軸コネクタとされるＴＶ端子が前面に設けられているシールドケースを備える直列ユニットであって、
前記シールドケースから、ＴＶ信号が伝送されてきた同軸ケーブルの端部に設けられている同軸プラグを装着することができる同軸コネクタとされる入力端子が先端に設けられている入力用同軸ケーブルと、次段へＴＶ信号を伝送する同軸ケーブルの端部に設けられている同軸プラグを装着することができる同軸コネクタとされる出力端子が先端に設けられている出力用同軸ケーブルとが導出されており、該入力用同軸ケーブルを介して前記シールドケース内に入力されたＴＶ信号が分岐されて前記ＴＶ端子から出力され、分岐された後のＴＶ信号が前記出力用同軸ケーブルを介して前記出力端子から出力されることを特徴とする直列ユニット。
【発明の詳細な説明】
【技術分野】
【０００１】
本発明は、家庭における壁面などに埋め込まれて使用されるテレビ信号を出力する直列ユニットに関するものである。
【背景技術】
【０００２】
マンション等の建物内の各部屋にＴＶ信号を分配するＴＶ信号分配システムの一例の構成を図１６に示す。
図１６に示すＴＶ信号分配システムにおいて、建物１００にはケーブルテレビ（ＣＡＴＶ）が導入されていたり、アンテナ１０１が設置されている。ＣＡＴＶからのＴＶ信号やアンテナ１０１により受信されたＴＶ信号は、建物１００内に設けられているブースタ１０２により増幅されて分配器１０３により複数に分配される。分配器１０３からの第１の分配信号は、部屋毎に設置されて直列に接続されている複数の直列ユニット１１０，１１３，１１６に供給される。また、分配器１０３からの第２の分配信号は、部屋毎に設置されて直列に接続されている複数の直列ユニット１１１，１１４，１１７に供給される。さらに、分配器１０３からの第３の分配信号は、部屋毎に設置されて直列に接続されている複数の直列ユニット１１２，１１５，１１８に供給される。これにより、建物１００内の各部屋においては、各部屋に設定されている直列ユニット１１０−１１８にＴＶ受像機やレコーダ等を接続することにより、ＴＶ信号を受信して視聴したり録画することができるようになる。
【０００３】
建物１００内の各部屋に設置されている従来の直列ユニット１１０−１１８は同様の構成とされ、代表として直列ユニット１１０の構成を図１７ないし図１９に示す。ただし、図１７は従来の直列ユニットの構成を示す正面図であり、図１８は従来の直列ユニットの構成を示す背面図であり、図１９は従来の直列ユニットの構成を示す側面図である。
これらの図に示すように、従来の直列ユニット１１０は、２つのＴＶ端子１３１が前面に設けられている端子台１３０と、この端子台１３０が取り付けられている取付枠１４０とから構成されている。端子台１３０が取り付けられた取付枠１４０は、各部屋の壁面等に埋め込まれている直方体状のスイッチボックス内に取り付けられる。そして、ＴＶ端子１３１に同軸ケーブルの一端に設けられているプラグを装着し、同軸ケーブルの他端をＴＶ受像機やレコーダのアンテナ端子に接続することにより、ＴＶ受像機やレコーダにおいてＴＶ信号を受信することができるようになる。
【０００４】
直列ユニット１１０の右側面には、ＴＶ信号が伝送されてきた同軸ケーブルが接続される入力端子部１３２が設けられており、左側面には次段の直列ユニットへＴＶ信号を伝送する同軸ケーブルが接続される出力端子部１３３が設けられている。入力端子部１３２には、同軸ケーブルの芯線が固定される芯線固定部１３２ａと、編組線が外被上に折り返された同軸ケーブルを固定するサドル状の編組線固定部１３２ｂとが設けられている。また、出力端子部１３３には、同軸ケーブルの芯線が固定される芯線固定部１３３ａと、編組線が外被上に折り返された同軸ケーブルを固定するサドル状の編組線固定部１３３ｂとが設けられている。
【０００５】
近年、ＴＶ放送はアナログ放送からデジタル放送へ移行が進んでいる。地上波においては従来のアナログ放送を終了することが決定されており、ＴＶ視聴世帯ではデジタル放送を受信できるＴＶ受像機へ交換している。また、ＴＶ信号分配システムではデジタル放送を受信するための改修を行っている。このＴＶ信号分配システムの改修では、妨害電波の排除を目的としてシールドの性能の高いＦ型接栓タイプの機器を使用することが推奨されていることから、交換後の機器にはＦ型接栓タイプの機器が使用される。この場合、図１６に示すＴＶ信号分配システムの改修では、アンテナ１０１の交換、ブースタ１０２の交換、分配器１０３の交換、配線ケーブルの交換、直列ユニット１１０−１１８の交換などが行われる。しかしながら、実際の改修工事では、壁の内部や天井の内部に配線されている同軸ケーブルは、引き直す手間や費用の点から交換せずに既存の同軸ケーブルを流用しているのが現状である。
【０００６】
図１７ないし図１９に示す従来の直列ユニット１１０は、同軸ケーブルの芯線を直列ユニット１１０の側面に設けられている芯線固定部１３２ａ，１３３ａに直接取り付けると共に、編組線が折り返された同軸ケーブルを直列ユニット１１０の側面に設けられている編組線固定部１３２ｂ，１３３ｂに直接取り付けている。このような同軸ケーブルの直付けタイプは、芯線がネジで固定されて露出しているため外来電波の影響を受けやすいという欠点があることから、シールドの性能の高いＦ型接栓タイプの直列ユニットに交換している。
従来のＦ型接栓タイプの直列ユニット２００の構成を図２０ないし図２２に示す。ただし、図２０は従来のＦ型接栓タイプの直列ユニット２００の構成を示す正面図であり、図２１は従来のＦ型接栓タイプの直列ユニット２００の構成を示す側面図であり、図２２は従来のＦ型接栓タイプの直列ユニット２００の構成を示す背面図である。
【０００７】
これらの図に示すように、従来のＦ型接栓タイプの直列ユニット２００は、２つのＴＶ端子２１１が前面に設けられている端子台２１０と、この端子台２１０が取り付けられている取付枠２２０とから構成されている。端子台２１０が取り付けられた取付枠２２０は、各部屋の壁面等に埋め込まれている直方体状のスイッチボックス内に取り付けられる。そして、ＴＶ端子２１１に同軸ケーブルの一端に設けられている同軸プラグを装着し、同軸ケーブルの他端に設けられている同軸プラグをＴＶ受像機やレコーダのアンテナ端子に接続することにより、ＴＶ受像機やレコーダにおいてＴＶ信号を受信することができるようになる。
【０００８】
Ｆ型接栓タイプの直列ユニット２００はＴ字状のシールドケース２１２を備えており、このシールドケース２１２の前面の上下にそれぞれＦ型接栓からなるＴＶ端子２１１が取り付けられている。また、シールドケース２１２におけるＴ字の横棒に相当する上部両側の下面に、Ｔ字の縦棒に相当する中央部の両側に沿ってＦ型接栓からなる入力端子２１３と出力端子２１４とが取り付けられている。入力端子２１３には、ＴＶ信号が伝送されてきた同軸ケーブルの端部に設けられているＦ型同軸接栓が装着され、出力端子２１４には、次段の直列ユニットへＴＶ信号を伝送する同軸ケーブルの端部に設けられているＦ型接栓が装着される。
【先行技術文献】
【特許文献】
【０００９】
【特許文献１】特開平１０−１８９１６１号公報
【特許文献２】特開２００８−９１３１８号公報
【発明の概要】
【発明が解決しようとする課題】
【００１０】
従来の直列ユニット１１０から従来のＦ型接栓タイプの直列ユニット２００に交換する際には、図２３に示すように取付ネジを外してスイッチボックス１５０から直列ユニット１１０を取り出す。次いで、入力端子部１３２の芯線固定部１３２ａの芯線を固定していたネジを緩め、さらに編組線固定部１３２ｂの両側の２本のネジを緩めて同軸ケーブル１５１を入力端子部１３２から取り外す。さらに、出力端子部１３３の芯線固定部１３３ａの芯線を固定していたネジを緩め、さらに編組線固定部１３３ｂの両側の２本のネジを緩めて同軸ケーブル１５２を出力端子部１３３から取り外す。同軸ケーブル１５１および同軸ケーブル１５２の先端部は露出されて劣化が進んでいる場合が多いことから、先端部分を切り取り、さらにその先端を加工することにより、同軸ケーブル１５１の先端にＦ型接栓タイプの入力接栓１５３を取りつけると共に、同軸ケーブル１５２の先端にＦ型接栓タイプの出力接栓１５４を取りつける。
【００１１】
このように改修した同軸ケーブル１５１および同軸ケーブル１５２を、交換したＦ型接栓タイプの直列ユニット２００の入力端子２１３および出力端子２１４に取り付ける態様を図２５に示す。図２５に示す場合は、改修した同軸ケーブル１５１および同軸ケーブル１５２には十分な長さがないことから、同軸ケーブル１５１の入力接栓１５３を入力端子２１３に取り付けることができないと共に、同軸ケーブル１５２の出力接栓１５４を出力端子２１４に取り付けることができない。
そこで、十分な長さとした同軸ケーブル１５１’および同軸ケーブル１５２’を、交換したＦ型接栓タイプの直列ユニット２００の入力端子２１３および出力端子２１４に取り付けた場合の態様を図２６に示す。図２６を参照すると、同軸ケーブル１５１’の長さは入力接栓１５３を入力端子２１３に取り付けるに十分な長さまで延伸されており、同軸ケーブル１５２’の長さも出力接栓１５４を出力端子２１４に取り付けるに十分な長さまで延伸されている。
このように、同軸ケーブル１５１’および同軸ケーブル１５２’の長さを十分な長さとして接続するためには、壁内に配線されている同軸ケーブルを引き直す必要があることから、多大の手間や費用がかかってしまうという問題点があった。
【００１２】
また、図２６に示すように同軸ケーブル１５２’を屈曲する場合は、同軸ケーブルの最小曲げ半径を守って屈曲する必要がある。最小曲げ半径はケーブル外径の６倍以上とされている。たとえば外径が８ｍｍの同軸ケーブルＳ−５Ｃ−ＦＢを規定に従って曲げると、最小曲げ半径は約４８ｍｍ必要となり折り返すよう屈曲するには約９６ｍｍ必要になる。しかし、一般的なスイッチボックスの幅は約６５ｍｍで内側の有効幅が約５２ｍｍとされていることから規定の曲げ半径を守って屈曲できないことになる。このため、実際にはスイッチボックス内で強引に屈曲させているのが現状である。このように、最小曲げ半径以下で施工すると同軸ケーブルの周波数特性にディップが生じたり、部分的に反射損失が増えたりする傾向があり特定のチャンネルのみレベルが低くなって受信できないなどの影響を与えるという問題点があった。
【００１３】
次に、従来のＦ型接栓タイプの他の直列ユニット３００の構成を図２７および図２８に示す。ただし、図２７は従来のＦ型接栓タイプの他の直列ユニット３００の構成を示す背面図であり、図２８は従来のＦ型接栓タイプの他の直列ユニット３００の構成を示す側面図である。なお、従来のＦ型接栓タイプの他の直列ユニット３００の正面図は、従来のＦ型接栓タイプの直列ユニット２００の正面図とほぼ同様となる。
これらの図に示すように、従来のＦ型接栓タイプの他の直列ユニット３００は、２つのＴＶ端子３１１が設けられている端子台３１０と、この端子台３１０が取り付けられている取付枠３２０とから構成されている。端子台３１０が取り付けられた取付枠３２０は、各部屋の壁面等に埋め込まれている直方体状のスイッチボックス内に取り付けられる。そして、ＴＶ端子３１１に同軸ケーブルの一端に設けられているプラグを装着し、同軸ケーブルの他端をＴＶ受像機やレコーダのアンテナ端子に接続することにより、ＴＶ受像機やレコーダにおいてＴＶ信号を受信することができるようになる。
【００１４】
Ｆ型接栓タイプの他の直列ユニット３００は細長い直方体状のシールドケース３１２を備えており、このシールドケース３１２の前面の上下にそれぞれＦ型接栓からなるＴＶ端子３１１が取り付けられている。また、シールドケース３１２の上部の両側面に、Ｌ字状のＦ型接栓からなる入力端子３１３と出力端子３１４とが、シールドケース３１２に対して回動可能に取り付けられている。入力端子３１３には、ＴＶ信号が伝送されてきた同軸ケーブルの端部に設けられているＦ型同軸接栓が装着され、出力端子３１４には、次段の直列ユニットへＴＶ信号を伝送する同軸ケーブルの端部に設けられているＦ型接栓が装着される。
【００１５】
図２４に示すように改修した同軸ケーブル１５１および同軸ケーブル１５２を、交換したＦ型接栓タイプの他の直列ユニット３００の入力端子３１３および出力端子３１４に取り付ける態様を図２９に示す。図２９を参照すると、改修した同軸ケーブル１５２は短くなっているが、出力端子３１４を上方に向くように回動することにより、同軸ケーブル１５２の出力接栓１５４を出力端子３１４に取り付けることができる。しかし、改修した同軸ケーブル１５１には十分な長さがないことから、同軸ケーブル１５１の入力接栓１５３を入力端子３１３に取り付けることができない。
【００１６】
そこで、十分な長さとした同軸ケーブル１５１”を、交換したＦ型接栓タイプの他の直列ユニット３００の入力端子３１３に取り付けた場合の態様を図３０に示す。図３０を参照すると、同軸ケーブル１５１”の長さは入力接栓１５３を入力端子３１３に取り付けるに十分な長さまで延伸されている。
しかしながら、同軸ケーブル１５１”の長さを十分な長さまで延伸して接続するためには、壁内に配線されている同軸ケーブルを引き直す必要があることから、多大の手間や費用がかかってしまうという問題点があった。また、直列ユニット３００は入力端子３１３と出力端子３１４とに回転機能を持たせなければならないので、回転機能にかかわる部品が多くなり組み立ても複雑になるだけでなく、中心導体のヒンジ部の信頼性も確保する必要があることからコストアップになるという問題点もあった。
【００１７】
ところで、従来のＦ型接栓タイプ直列ユニット２００，３００は、シールドケース２１２，３１２の前面にＦ型接栓からなるＴＶ端子２１１，３１１を設けているためシールドケース２１２，３１２の幅は、少なくともＴＶ端子２１１，３１１の根本の幅（約１３ｍｍ）以上の幅が必要となる。また、直列ユニット２００，３００の幅はスイッチボックスへ取り付けるための取付枠２２０，３２０の寸法に制限され、最大３５ｍｍとなる。すると、直列ユニット２００，３００の入力端子２１３，３１３および出力端子２１４，３１４に入力接栓１５３および出力接栓１５４をねじ込んで取り付けるスペースを確保するために、入力端子２１３，３１３および出力端子２１４，３１４を設ける位置はシールドケース２１２，３１２の背面側にオフセットして配置する必要がある。この結果、図２１および図２８に示すように直列ユニット２００，３００のシールドケース２１２，３１２の高さが約２５ｍｍ以上と高くなって、シールドケース２１２、３１２の成型工程が難しくなると共に表面腐食防止のメッキ工程も難しくなるという問題点があった。また、シールドケース２１２，３１２の高さが高くなると壁面内の梁などが邪魔になるため、奥行きのない壁面には直列ユニット２００，３００を取り付けられないという問題点もあった。
【００１８】
そこで、本発明は、直列ユニットをＦ型接栓タイプに交換した際に、同軸ケーブルを引き直すことなく改修することができると共に厚みを薄くすることのできる簡易な構造の直列ユニットを提供することを目的としている。
【課題を解決するための手段】
【００１９】
本発明は、同軸コネクタとされるＴＶ端子が前面に設けられているシールドケースを備える直列ユニットであって、前記シールドケースから、ＴＶ信号が伝送されてきた同軸ケーブルの端部に設けられている同軸プラグを装着することができる同軸コネクタとされる入力端子が先端に設けられている入力用同軸ケーブルが導出されており、該入力用同軸ケーブルを介して前記シールドケース内に入力されたＴＶ信号が分岐されて前記ＴＶ端子から出力されることを最も主要な特徴としている。
【発明の効果】
【００２０】
本発明によれば、シールドケースに同軸接栓を設けることに替えて，シールドケースから先端に同軸コネクタが設けられている同軸ケーブルを導出するようにしたので、短くなった改修後の同軸ケーブルにも接続が可能になる。また、厚みを薄くすることができると共に、簡易な構造の直列ユニットとすることができる。
【図面の簡単な説明】
【００２１】
【図１】本発明の第１実施例にかかる直列ユニットの構成を示す正面図である。
【図２】本発明の第１実施例にかかる直列ユニットの構成を示す側面図である。
【図３】本発明の第１実施例にかかる直列ユニットの構成を示す背面図である。
【図４】本発明の第１実施例にかかる直列ユニットのシールドケースの内部構成を一部断面図で示す側面図である。
【図５】本発明にかかる直列ユニットをスイッチボックスに組み込んだ態様を示す背面図である。
【図６】本発明にかかる直列ユニットをスイッチボックスに組み込んだ他の態様を示す側面図である。
【図７】本発明にかかる直列ユニットにおける端子台の他の構成を示す正面図である。
【図８】本発明にかかる直列ユニットにおける端子台の他の構成を示す側面図である。
【図９】本発明にかかる直列ユニットにおける端子台の他の構成を示す背面図である。
【図１０】本発明の第２実施例にかかる直列ユニットの構成を示す正面図である。
【図１１】本発明の第２実施例にかかる直列ユニットの構成を示す側面図である。
【図１２】本発明の第２実施例にかかる直列ユニットの構成を示す背面図である。
【図１３】本発明にかかる直列ユニットにおける端子台のさらに他の構成を示す正面図である。
【図１４】本発明にかかる直列ユニットにおける端子台のさらに他の構成を示す側面図である。
【図１５】本発明にかかる直列ユニットにおける端子台のさらに他の構成を示す背面図である。
【図１６】マンション等の建物内の各部屋にＴＶ信号を分配するＴＶ信号分配システムの構成の一例を示す図である。
【図１７】従来の直列ユニットの構成を示す正面図である。
【図１８】従来の直列ユニットの構成を示す背面図である。
【図１９】従来の直列ユニットの構成を示す側面図である。
【図２０】従来の他の直列ユニットの構成を示す正面図である。
【図２１】従来の他の直列ユニットの構成を示す側面図である。
【図２２】従来の他の直列ユニットの構成を示す背面図である。
【図２３】従来の直列ユニットを従来のＦ型接栓タイプの直列ユニットに交換する過程を示す図である。
【図２４】従来の直列ユニットを従来のＦ型接栓タイプの直列ユニットに交換する他の過程を示す図である。
【図２５】従来の直列ユニットを従来のＦ型接栓タイプの直列ユニットに交換するさらに他の過程を示す図である。
【図２６】従来の直列ユニットを従来のＦ型接栓タイプの直列ユニットに交換した場合の構成を示す図である。
【図２７】従来の他の直列ユニットの構成を示す背面図である。
【図２８】従来の他の直列ユニットの構成を示す側面図である。
【図２９】従来の直列ユニットを従来のＦ型接栓タイプの他の直列ユニットに交換する過程を示す図である。
【図３０】従来の直列ユニットを従来のＦ型接栓タイプの他の直列ユニットに交換した場合の構成を示す図である。
【発明を実施するための形態】
【００２２】
本発明にかかるＦ型接栓タイプの第１実施例の直列ユニット１の構成を図１ないし図３に示す。ただし、図１は第１実施例の直列ユニット１の構成を示す正面図であり、図２は第１実施例の直列ユニット１の構成を示す側面図であり、図３は第１実施例の直列ユニット１の構成を示す背面図である。
これらの図に示す本発明にかかるＦ型接栓タイプの第１実施例の直列ユニット１は、２つのＴＶ端子１１が設けられている端子台１０と、この端子台１０が取り付けられている取付枠２０とから構成されている。端子台１０が取り付けられた取付枠２０が、各部屋の壁面等に埋め込まれている直方体状のスイッチボックスに固定用のネジで固着されることにより、直列ユニット１がスイッチボックス内に取り付けられる。そして、ＴＶ端子１１に同軸ケーブルの一端に設けられている同軸プラグを装着し、同軸ケーブルの他端に設けられている同軸プラグをＴＶ受像機やレコーダのアンテナ端子に接続することにより、ＴＶ受像機やレコーダにおいてＴＶ信号を受信することができるようになる。
【００２３】
Ｆ型接栓タイプとされている第１実施例の直列ユニット１はＴ字状のシールドケース１２を備えており、このシールドケース１２の前面の上下にそれぞれＦ型同軸コネクタからなるＴＶ端子１１が取り付けられている。また、シールドケース１２におけるＴ字の横棒に相当する上部両側の下面から、Ｔ字の縦棒に相当する中央部の両側に沿ってＦ型同軸コネクタからなる入力端子１４が先端に設けられている同軸ケーブル１３と、Ｆ型同軸コネクタからなる出力端子１６が先端に設けられている同軸ケーブル１５とが導出されている。Ｆ型同軸コネクタとされた入力端子１４は６角ナット形状を有しており、ＴＶ信号が伝送されてきた同軸ケーブルの端部に設けられているＦ型同軸プラグを装着することができ、出力端子１６も６角ナット形状を有しており、次段の直列ユニットへＴＶ信号を伝送する同軸ケーブルの端部に設けられているＦ型同軸プラグを装着することができる。なお、同軸ケーブル１３および同軸ケーブル１５は、例えば２．５Ｃ（編組線の内径呼び径：３ｍｍ、特性インピーダンス７５Ω）とされ、同軸ケーブル１３および同軸ケーブル１５の引き出し長さは、例えば１３０ｍｍ程度とされている。
【００２４】
図４（ａ）に、本発明の第１実施例にかかる直列ユニット１のシールドケース１２の内部構成を一部断面図とした側面図で示し、図４（ｂ）に図４（ａ）のＡ部を拡大して示す。
これらの図に示すように、直列ユニット１のシールドケース１２は断面がコ字状の本体部１２ａと、本体部１２ａの開口面を塞ぐように嵌着されたカバー部１２ｂとから構成されている。本体部１２ａの前面の上下にはＦ型同軸コネクタとされるＴＶ端子１１がそれぞれ固着されている。本体部１２ａとカバー部１２ｂとで形成された収納空間には、基板１２ｃが収納されている。基板１２ｃには、入力端子１４から入力され同軸ケーブル１３を介して入力されたＴＶ信号を、２つのＴＶ端子１１に分岐する分岐回路が設けられていると共に、分岐回路や２つのＴＶ端子１１の中心導体に分岐信号を供給するプリント配線が形成されている。また、分岐された後のＴＶ信号は同軸ケーブル１５を介して出力端子１６から出力される。シールドケース１２から同軸ケーブル１５が導出される部分には、図４（ｂ）に示すように円筒状のカシメ部１２ｄが形成されている。このカシメ部１２ｄ内に、芯線を露出させると共に編組線を外被上に折り返した同軸ケーブル１５の先端を挿入し、シールドケース１２内おいて同軸ケーブル１５の芯線を基板１２ｃのプリント配線にハンダ付け部１２ｅでハンダ付けし、次いで、カシメ部１２ｄにカシメ加工を施す。これにより、分岐された後のＴＶ信号が同軸ケーブル１５を介して出力端子１６から出力されるようになる。なお、入力端子１４が設けられている同軸ケーブル１３も同軸ケーブル１５と同様に、芯線を露出させると共に編組線を外被上に折り返した同軸ケーブル１３の先端が図示しないカシメ部に挿入され、シールドケース１２内おいて同軸ケーブル１３の芯線が基板１２ｃのプリント配線にハンダ付けされ、次いで、カシメ部がカシメ加工されている。これにより、ＴＶ信号が入力端子１４から同軸ケーブル１３を介して基板１２ｃの分岐回路に入力されるようになる。
【００２５】
本発明の第１実施例の直列ユニット１をスイッチボックスに組み込んだ態様を背面図で図５に示す。
この図に示すように、スイッチボックス２１は断面コ字状とされ前面が開口されている。このスイッチボックス２１に取付枠２０の上下を２本のネジで取り付けることにより、スイッチボックス２１内に端子台１０が収納されるようになる。スイッチボックス２１には、図２３および図２４に示すように上面と下面に配線用の貫通孔が開けられており、図示する場合は同軸ケーブル１３が折り返すように屈曲されて入力端子１４が上面の貫通孔に臨んでいる。また、出力端子１６を備える同軸ケーブル１５が下面の貫通孔に貫通されている。これにより、図２４に示すように改修後の同軸ケーブル１５１，１５２の長さが短くされても、同軸ケーブル１５１の先端に設けられている入力接栓１５３を入力端子１４に接続することができると共に、同軸ケーブル１５２の先端に設けられている出力接栓１５４を出力端子１６に接続することができるようになる。なお、図２４に示すように上方から同軸ケーブル１５２がスイッチボックス２１内に導入されると共に、同軸ケーブル１５１が下方からスイッチボックス２１内に導入される場合は、同軸ケーブル１３は屈曲することなく下面の貫通孔を貫通させ、同軸ケーブル１５は折り返すよう屈曲して上面の貫通孔に臨ませるようにする。
【００２６】
この場合、本発明にかかる直列ユニット１の同軸ケーブル１３，１５は外径が約４ｍｍの２．５Ｃとされていることから、同軸ケーブル１３，１５の最小曲げ半径は約２４ｍｍとなり折り返して屈曲するには約４８ｍｍあればよい。従って、内側の有効幅が約５２ｍｍのスイッチボックス２１において規定の曲げ半径で折り返すよう屈曲することができる。また、図４（ａ）（ｂ）に示すように同軸ケーブル１５の引き出し部分においてハンダ付け部１２ｅを基板１２ｃの上面と同じ位置に配置することにより、本発明にかかる直列ユニット１の厚みを約１５ｍｍとすることができる。このため、壁面内に梁などがあって奥行きのない壁面とされていても直列ユニット１を取り付けることができるようになる。また、シールドケース１２の高さが低いことからシールドケース１２の成型工程が容易になると共に表面腐食防止のメッキ工程も容易になる。さらに、本発明にかかる直列ユニット１は回転機能を備えていないため簡易な構造とすることができる。
【００２７】
次に、壁面内に梁などの支持部材がある場合の本発明にかかる直列ユニット１の取付の態様を図６に示す。
図６に示すように、石膏ボードなどの厚さが約２０ｍｍとされている壁面部材３０には直列ユニット１の端子台１０を挿入できる矩形状の取付孔３０ａが形成されている。この取付孔３０ａに端子台１０を挿入するように、取付枠２０の背面の周囲を壁面部材３０の表面に当接する。そして、取付枠２０の上下の穴にそれぞれネジ２３を挿通して壁面部材３０にねじ込む。これにより、直列ユニット１を壁面部材３０に取り付けることができる。この場合、入力端子１４が先端に設けられている同軸ケーブル１３は、梁などの支持部材３１と壁面部材３０との隙間に配置して、ＴＶ信号が伝送されてくる同軸ケーブルに接続することができる。図示しない出力端子１６が先端に設けられている同軸ケーブル１５も、梁などの支持部材３１と壁面部材３０との隙間に配置して、ＴＶ信号を次段に伝送する同軸ケーブルに接続することができる。なお、取付枠２０の前面を塞ぐように化粧パネル２２が取付枠２０の前面に嵌着されている。
【００２８】
次に、本発明にかかる直列ユニット１における他の構成とされている端子台１０−１の構成を図７ないし図９に示す。図７は端子台１０−１の構成を示す正面図であり、図８は端子台１０−１の構成を示す側面図であり、図９は端子台１０−１の構成を示す背面図である。
これらの図に示す端子台１０−１は、ＴＶ端子１１が１つだけ設けられている端子台１０−１とされ、取付枠２０に固着された際に１端子型の直列ユニット１とされる。端子台１０−１は、直方体状のシールドケース１２−１を備えており、このシールドケース１２−１の前面にＦ型同軸コネクタからなるＴＶ端子１１が取り付けられている。また、シールドケース１２−１の下面から下方へＦ型同軸コネクタからなる入力端子１４が先端に設けられている同軸ケーブル１３と、Ｆ型同軸コネクタからなる出力端子１６が先端に設けられている同軸ケーブル１５とが導出されている。なお、同軸ケーブル１３および同軸ケーブル１５は、例えば外径が約４ｍｍとされている２．５Ｃとされ、同軸ケーブル１３および同軸ケーブル１５の引き出し長さは、例えば１３０ｍｍ程度とされている。
【００２９】
シールドケース１２−１内には、入力端子１４から入力され同軸ケーブル１３を介して入力されたＴＶ信号を、ＴＶ端子１１に分岐する分岐回路が設けられていると共に、分岐回路やＴＶ端子１１の中心導体に分岐信号を供給するプリント配線が形成されている基板が収納されている。また、分岐された後のＴＶ信号は同軸ケーブル１５を介して出力端子１６から出力される。シールドケース１２−１から同軸ケーブル１３，１５が導出される部分には、図４（ｂ）に示すような円筒状のカシメ部がそれぞれ形成されている。説明は省略するが、図４（ｂ）に示す構成と同様の構成により、同軸ケーブル１３，１５がシールドケース１２−１から導出されている。入力端子１４および出力端子１６は、６角ナット形状を有している。
このような端子台１０−１を備える直列ユニット１においても、内側の有効幅が約５２ｍｍのスイッチボックス２１において規定の曲げ半径で同軸ケーブル１３，１５を折り返すよう屈曲することができる。また、直列ユニット１の厚みを約１５ｍｍにすることができるため、壁面内に梁などがあって奥行きのない壁面とされていても直列ユニット１を取り付けることができるようになる。
【００３０】
次に、本発明にかかるＦ型接栓タイプの第２実施例の直列ユニット１−２の構成を図１０ないし図１２に示す。ただし、図１０は第２実施例の直列ユニット１の構成を示す正面図であり、図１１は第２実施例の直列ユニット１−２の構成を示す側面図であり、図１２は第２実施例の直列ユニット１−２の構成を示す背面図である。
これらの図に示す本発明にかかるＦ型接栓タイプの第２実施例の直列ユニット１−２は、次段にＴＶ信号を送らないタイプの直列ユニット１−２とされている。すなわち、図１６に示すＴＶ信号分配システムにおける直列ユニット１１６−１１８に使用する直列ユニットとされている。第２実施例の直列ユニット１−２は端子台１０−２と、端子台１０−２が固着されている取付枠２０から構成され、次段にＴＶ信号を送らないことから、ＴＶ信号を出力する同軸ケーブル１５と出力端子１６とは省略されている。第２実施例の直列ユニット１−２の他の構成は第１実施例の直列ユニット１と同様とされていることから、その説明は省略するが、同軸ケーブル１３は、例えば外径が約４ｍｍとされている２．５Ｃとされ、同軸ケーブル１３の引き出し長さは、例えば１３０ｍｍ程度とされている。
【００３１】
端子台１０−２のシールドケース１２−２内には、入力端子１４から入力され同軸ケーブル１３を介して入力されたＴＶ信号を、２つのＴＶ端子１１に分岐する分岐回路が設けられていると共に、分岐回路や２つのＴＶ端子１１の中心導体に分岐信号を供給するプリント配線が形成されている基板が収納されている。入力端子１４および出力端子１６は、６角ナット形状を有している。
第２実施例の直列ユニット１−２においても、内側の有効幅が約５２ｍｍのスイッチボックス２１において規定の曲げ半径で同軸ケーブル１３を折り返すよう屈曲することができる。また、直列ユニット１−２の厚みを約１５ｍｍにすることができるため、図６に示すように壁面内に梁などがあって奥行きのない壁面とされていても直列ユニット１−２を取り付けることができるようになる。
【００３２】
次に、本発明にかかる直列ユニット１−２における他の構成とされている端子台１０−３の構成を図１３ないし図１５に示す。図１３は端子台１０−３の構成を示す正面図であり、図１４は端子台１０−３の構成を示す側面図であり、図１５は端子台１０−３の構成を示す背面図である。
これらの図に示す端子台１０−３は、次段にＴＶ信号を送らないと共にＴＶ端子１１が１つだけ設けられている端子台１０−３とされ、取付枠２０に固着された際に１端子型の直列ユニット１−２とされる。端子台１０−３は、シールドケース１２−３を備えており、このシールドケース１２−３の前面にＦ型同軸コネクタからなるＴＶ端子１１が取り付けられている。また、シールドケース１２−３の下面から下方へＦ型同軸コネクタからなる入力端子１４が先端に設けられている同軸ケーブル１３が導出されている。なお、同軸ケーブル１３は、例えば外径が約４ｍｍとされている２．５Ｃとされ、同軸ケーブル１３の引き出し長さは、例えば１３０ｍｍ程度とされている。
【００３３】
シールドケース１２−３内には、入力端子１４から入力され同軸ケーブル１３を介して入力されたＴＶ信号を、ＴＶ端子１１に分岐する分岐回路が設けられていると共に、分岐回路やＴＶ端子１１の中心導体に分岐信号を供給するプリント配線が形成されている基板が収納されている。シールドケース１２−３から同軸ケーブル１３が導出される部分には、図４（ｂ）に示すような円筒状のカシメ部がそれぞれ形成されている。説明は省略するが、図４（ｂ）に示す構成と同様の構成により、同軸ケーブル１３がシールドケース１２−３から導出されている。入力端子１４および出力端子１６は、６角ナット形状を有している。
このような端子台１０−３を備える直列ユニット１−２においても、内側の有効幅が約５２ｍｍのスイッチボックス２１において規定の曲げ半径で同軸ケーブル１３を折り返すよう屈曲することができる。また、直列ユニット１−２の厚みを約１５ｍｍにすることができるため、壁面内に梁などがあって奥行きのない壁面とされていても直列ユニット１を取り付けることができるようになる。
【産業上の利用可能性】
【００３４】
以上説明した本発明にかかる直列ユニットは、シールドケースから引き出す同軸ケーブルを２．５Ｃの細い同軸ケーブルにしているため任意の方向に屈曲することができ、上方向や下方向にも配線することができ自由度が高い。このように屈曲しても、同軸ケーブルの最小曲げ半径を守って屈曲できるため同軸ケーブルの周波数特性に影響は与えない。また、同軸ケーブルの長さを１３０ｍｍ程度に設定したことで、上方向に配線する場合は同軸ケーブルを屈曲させて上方向に向けることができると共に、スイッチボックスの貫通孔の付近にまで届くので短くなった改修後の同軸ケーブルにも接続が可能になる。この場合、下方向に配線する場合は同軸ケーブルがスイッチボックスの貫通孔を貫通するため、短くなった改修後の同軸ケーブルにも接続が可能になる。また、可動接栓型のように複雑なヒンジを設けることなく任意の方向に引き出せることから、直列ユニットの構成を簡易にすることができる。
【００３５】
以上説明した本発明にかかる直列ユニットは、シールドケースに同軸接栓を設けることに替えて先端に同軸コネクタを備える同軸ケーブルを引き出しており、同軸ケーブルの引き出し位置を基板面と同一面にすることができる。これにより、シールドケースの高さを１５ｍｍ程度に抑えることができ、シールドケースの深さが浅くなって、成型がし易いと共にメッキ処理も容易になる。さらに、直列ユニットの厚みが薄くなるため奥行きのない壁面部分でも設置できるようになり改修工事などで設置場所を選ばない。
また、入力端子および出力端子は６角ナット形状を有していることから、Ｆ型同軸コネクタとの接続時にお互いを別々ペンチやスパナで固定して堅固に締め込むことができ配線の信頼性につながる。
【符号の説明】
【００３６】
１，１−２  直列ユニット、１０，１０−１，１０−２，１０−３  端子台、１１  ＴＶ端子、１２，１２−１，１２−３  シールドケース、１２ａ  本体部、１２ｂ  カバー部、１２ｃ  基板、１２ｄ  カシメ部、１２ｅ  ハンダ付け部、１３  同軸ケーブル、１４  入力端子、１５  同軸ケーブル、１６  出力端子、２０  取付枠、２１  スイッチボックス、２２  化粧パネル、２３  ネジ、３０  壁面部材、３０ａ  取付孔、３１  支持部材、１００  建物、１０１  アンテナ、１０２  ブースタ、１０３  分配器、１１０，１１１，１１２，１１３，１１４，１１５，１１６，１１７，１１８  直列ユニット、１３０  端子台、１３１  ＴＶ端子、１３２  入力端子部、１３２ａ  芯線固定部、１３２ｂ  編組線固定部、１３３  出力端子部、１３３ａ  芯線固定部、１３３ｂ  編組線固定部、１４０  取付枠、１５０  スイッチボックス、１５１  同軸ケーブル、１５２  同軸ケーブル、１５３  入力接栓、１５４  出力接栓、２００  直列ユニット、２１０  端子台、２１１  ＴＶ端子、２１２  シールドケース、２１３  入力端子、２１４  出力端子、２２０  取付枠、３００  直列ユニット、３１０  端子台、３１１  ＴＶ端子、３１２  シールドケース、３１３  入力端子、３１４  出力端子、３２０  取付枠
【図１】
2012089326.tif 000003
【図２】
2012089326.tif 000004
【図３】
2012089326.tif 000005
【図４】
2012089326.tif 000006
【図５】
2012089326.tif 000007
【図６】
2012089326.tif 000008
【図７】
2012089326.tif 000009
【図８】
2012089326.tif 000010
【図９】
2012089326.tif 000011
【図１０】
2012089326.tif 000012
【図１１】
2012089326.tif 000013
【図１２】
2012089326.tif 000014
【図１３】
2012089326.tif 000015
【図１４】
2012089326.tif 000016
【図１５】
2012089326.tif 000017
【図１６】
2012089326.tif 000018
【図１７】
2012089326.tif 000019
【図１８】
2012089326.tif 000020
【図１９】
2012089326.tif 000021
【図２０】
2012089326.tif 000022
【図２１】
2012089326.tif 000023
【図２２】
2012089326.tif 000024
【図２３】
2012089326.tif 000025
【図２４】
2012089326.tif 000026
【図２５】
2012089326.tif 000027
【図２６】
2012089326.tif 000028
【図２７】
2012089326.tif 000029
【図２８】
2012089326.tif 000030
【図２９】
2012089326.tif 000031
【図３０】
2012089326.tif 000032